(57)【特許請求の範囲】
【請求項１】
無線ＬＡＮシステムのアクセスポイントである無線通信装置と無線通信端末との間で直接拡散スペクトラム方式に従って無線データを送受信する無線ＬＡＮシステムで使用する周波数チャンネルを設定する無線チャンネル設定装置であって、
ユーザに操作される操作入力手段と、
上記操作入力手段が操作されたことに応じて周波数チャンネルの変更許可を認識して、無線データの全周波数チャンネルについての電波状態に関するパラメータ値を調査する調査手段と、
上記調査手段で調査されたパラメータ値に基づいて、周波数チャンネルを選定する判断手段と、
上記判断手段で選定された周波数チャンネルで通信をするように上記無線通信装置を制御する設定手段と、
上記無線通信装置と上記無線端末装置との無線通信中に、使用している周波数チャンネルの上記パラメータ値を調査し、調査したパラメータ値に基づいて周波数チャンネルを変更するか否かを判定し、周波数チャンネルを変更することを検出した場合にユーザに提示する検出手段とを備え、
上記検出手段により周波数チャンネルを変更することを検出してユーザに提示したことで上記操作入力手段が操作されたことに応じて上記調査手段により周波数チャンネルの変更許可を認識することを特徴とする無線チャンネル設定装置。
【請求項２】
上記パラメータ値として、上記無線通信装置から上記無線通信端末に送信したパケットに対する返信パケットの有無に応じてパケットロス数又はパケット再送回数を調査することを特徴とする請求項１に記載の無線チャンネル設定装置。
【請求項３】
上記パラメータ値として、上記無線通信端末の受信電界強度を調査することを特徴とする請求項１に記載の無線チャンネル設定装置。
【請求項４】
上記パラメータ値として、上記無線通信端末のノイズレベルを調査することを特徴とする請求項１に記載の無線チャンネル設定装置。
【請求項５】
上記調査手段は、他の周波数チャンネルと周波数帯が重複しない複数の周波数チャンネルから、周波数チャンネルを選定することを特徴とする請求項１に記載の無線チャンネル設定装置。
【請求項６】
上記調査手段は、他の周波数チャンネルと周波数帯が重複しない複数の周波数チャンネルの上記パラメータ値に基づいて選定する候補とする周波数チャンネルを検出し、検出した周波数チャンネルに隣接する周波数チャンネルのパラメータ値に基づいて選定することを特徴とする請求項１又は請求項５に記載の無線チャンネル設定装置。
【請求項７】
無線ＬＡＮシステムのアクセスポイントである無線通信装置と無線通信端末との間で直接拡散スペクトラム方式に従って無線データを送受信するときに使用する周波数チャンネルを設定するに際して、
ユーザの操作により周波数チャンネルの変更許可を認識し、
無線データの全周波数チャンネルについての電波状態に関するパラメータ値を調査し、
調査したパラメータ値に基づいて周波数チャンネルを選定し、
選定した周波数チャンネルで通信をするように上記無線通信装置の周波数チャンネルを設定し、
上記無線通信装置と上記無線端末装置との無線通信中に、使用している周波数チャンネルの上記パラメータ値を調査し、
調査したパラメータ値に基づいて周波数チャンネルを変更するか否かを判定し、周波数チャンネルを変更することを検出したことをユーザに提示した後に、
ユーザの操作に応じて周波数チャンネルの変更許可を認識することを特徴とする無線チャンネル設定方法。
【請求項８】
コンピュータに、少なくとも、
無線ＬＡＮシステムのアクセスポイントである無線通信装置と無線通信端末との間で直接拡散スペクトラム方式に従って無線データを送受信するときに使用する周波数チャンネルを設定するに際して、
ユーザの操作により周波数チャンネルの変更許可を認識し、
無線データの全周波数チャンネルについての電波状態に関するパラメータ値を調査し、
調査したパラメータ値に基づいて周波数チャンネルを選定し、
選定した周波数チャンネルで通信をするように上記無線通信装置の周波数チャンネルを設定し、
上記無線通信装置と上記無線端末装置との無線通信中に、使用している周波数チャンネルの上記パラメータ値を調査し、
調査したパラメータ値に基づいて周波数チャンネルを変更するか否かを判定し、周波数チャンネルを変更することを検出したことをユーザに提示した後に、
ユーザの操作に応じて周波数チャンネルの変更許可を認識する
処理を実行させるコンピュータ読み取り可能なプログラム。
【請求項９】
無線ＬＡＮシステムのアクセスポイントである無線通信装置であって、
上記アクセスポイントにアクセスする無線通信端末との間で直接拡散スペクトラム方式に従って無線データを送受信する無線通信手段と、
ユーザに操作される操作入力手段と、
上記操作入力手段が操作されたことに応じて周波数チャンネルの変更許可を認識して、無線データの全周波数チャンネルについての電波状態に関するパラメータ値を調査する調査手段と、
上記調査手段で調査されたパラメータ値に基づいて、周波数チャンネルを選定する判断手段と、
上記判断手段で選定された周波数チャンネルで無線通信をするように周波数チャンネルを変更するように上記無線通信手段を制御する変更手段と、
上記無線端末装置との無線通信中に、使用している周波数チャンネルの上記パラメータ値を調査し、調査したパラメータ値に基づいて周波数チャンネルを変更するか否かを判定し、周波数チャンネルを変更することを検出した場合にユーザに提示する検出手段とを備え、
上記検出手段により周波数チャンネルを変更することを検出してユーザに提示したことで上記操作入力手段が操作されたことに応じて上記調査手段により周波数チャンネルの変更許可を認識することを特徴とする無線通信装置。
【発明の詳細な説明】
【０００１】
【発明の属する技術分野】
本発明は、ユーザの操作に従って無線信号を伝送するのに使用する周波数チャンネルを切り換える無線チャンネル設定装置及び方法、並びにプログラム、無線通信装置に関し、特に、ＳＳ−ＤＳ（spread spectrum-direct sequence：直接拡散スペクトラム拡散）方式に従って無線信号を伝送するのに使用する周波数チャンネルを切り換える無線チャンネル設定装置及び方法、並びにプログラム、無線通信装置に関する。
【０００２】
【従来の技術】
近年、無線ＬＡＮ（Local Area Network）システムに関するプロトコルとして、米国電気電子技術者協会（ＩＥＥＥ（The Institute of Electrical and Electronics Engineers））が制定した２．４ＧＨｚ帯を利用したＩＥＥＥ８０２．１１が普及している。
【０００３】
このＩＥＥＥ８０２．１１では、ネットワーク形態としてアドホックネットワークとインフラストラクチャネットワークの２種で利用される。アドホックネットワークは端末同士で通信をする形態であり、インフラストラクチャネットワークは図１３に示すようにアクセスポイント１０１を経由して複数の端末１０２と通信をするように構成された形態である。このインフラストラクチャネットワークでは、アクセスポイント１０１及び各端末１０２にＳＳＩＤ（Servese Set ID）を設定し、同一のＳＳＩＤが設定されたアクセスポイント１０１と端末１０２との間で無線通信を行う。
【０００４】
また、このＩＥＥＥ８０２．１１では、物理層における使用周波数設定方式として、直接拡散スペクトラム方式、周波数ホッピング方式等が規定されている。直接拡散スペクトラム方式では、例えば２．４ＧＨｚ帯に１４個の周波数チャンネルが設定されており、隣接する各周波数チャンネル間においては、周波数帯域が重複している。したがって、通常、隣接する周波数チャンネルを同じネットワークでは使用しない。
【０００５】
インフラストラクチャネットワークにおいて、アクセスポイント１０１は、ネットワーク内で使用する周波数チャンネルを設定する機能を有し、１つの無線ネットワークにおいて１つの周波数チャンネルを使用する。また、端末１０２は、同じＳＳＩＤのアクセスポイント１０１の周波数チャンネルを検出し、同じ周波数チャンネルとなるアクセスポイント１０１との間で通信をする。この端末１０２は、アクセスポイント１０１に制御されることにより、使用する周波数チャンネルが設定される。
【０００６】
直接拡散スペクトラム方式を利用した無線ＬＡＮシステムにおいて、アクセスポイント１０１で使用する周波数チャンネルが他のネットワークの周波数チャンネルと重複したり、隣接する周波数チャンネルが他の機器で使用されていると、周波数チャンネル間で電波干渉が発生して通信スループットが低下する。これを避けるためには、ネットワーク管理者によりチャンネル調査ツールなどを使用して各周波数チャンネルの使用状況を調査し、使用していない周波数チャンネルに再設定する必要がある。このとき、チャンネル調査ツールにより、通信品質や受信電界強度を調査するコマンド体系を利用して各周波数チャンネルに関するパラメータ値を調査する。このコマンド体系は、ＩＥＥＥ８０２．１１にて定義されている。このように、使用している全ての無線ＬＡＮのチャンネル管理をすることにより、電波干渉の発生しない周波数チャンネルを再設定することができる。すなわち、無線ＬＡＮでは、アクセスポイント１０１で使用する周波数チャンネルを、ネットワーク管理者により設定する。
【０００７】
近年、ＩＥＥＥ８０２．１１ｈという新しい規格案として、使用する周波数チャンネルを動的に選択する方式であるＤＦＳ（Dynamic Freaquency Selection）が提案されている。これは、５ＧＨｚ帯を使用した無線ＬＡＮシステムに使用され、アクセスポイント１０１と端末１０２との間で、チャンネル変更用の制御パケットを使用して自動的に周波数チャンネルを電波状態が良好なチャンネルに変更する技術である。
【０００８】
このような無線ＬＡＮ規格を使用して、制御システムの通信を部分的に無線化したシステムがある。
【０００９】
例えば、従来の照明制御システムでは、図１４に示すように、照明機器１１１と操作卓１１２とが電線１１３で接続されたものがある。この照明制御システムでは、複数の照明機器１１１の動作を制御するスイッチ等の入力部を有する操作卓１１２が、入力に応じた制御信号を生成して全照明機器１１１に送信し、照明機器１１１では受信した制御信号を解析して制御信号に応じた動作をする。
【００１０】
このような照明制御システムを、無線ＬＡＮを使用して無線化した場合を図１５に示す。この照明制御システムでは、各操作卓１１２から出力した照明制御用プロトコルの制御信号（第１制御信号）を各変換部１１４により無線ＬＡＮ形式の第２制御信号にプロトコル変換をしてアクセスポイント１０１に出力する。そして、アクセスポイント１０１により無線信号を受信側の各端末１０２に送信し、端末１０２で無線信号を受信すると、変換部１１５により照明制御用プロトコルに変換して第１制御信号として照明機器１１１に出力する。
【００１１】
すなわち、図１４に示す照明制御システムに、操作卓１１２及び照明機器１１１に変換部１１４及び変換部１１５を接続し、更にアクセスポイント１０１と端末１０２とを追加するのみで、簡単に無線化をすることができる。
【００１２】
【発明が解決しようとする課題】
しかしながら、図１５に示すように照明制御システムを２．４ＧＨｚ帯を用いて無線化した場合、他に無線ＬＡＮ規格を利用した制御システムが独立して存在するときに、各システムの周波数チャンネルの変更ができない場合や、他のシステムの周波数チャンネル変更方法が不明であることがある。
【００１３】
また、照明制御システムを使用する管理者に無線技術知識がない場合や、周波数チャンネルを変更するツールを起動するのに特殊な手順を要する場合があり、周波数チャンネルを変更するのが容易でない場合がある。
【００１４】
更に、２．４ＧＨｚ帯の無線ＬＡＮにおいては、周波数チャンネルを自動変更するものが存在しておらず、また、無線ＬＡＮを利用した照明制御システムにおいて、例えば舞台公演中に自動的に周波数チャンネルが変更されて、周波数チャンネルの変更中に一時的に照明制御ができなくなる恐れがある。
【００１５】
そこで、本発明は、上述した実情に鑑みて提案されたものであり、周波数チャンネルを簡単に最適な周波数チャンネルに設定変更すると共に、通信中に周波数チャンネルが変更するのを回避することができる無線チャンネル設定装置及び方法、並びにプログラム、無線通信装置を提供することを目的とする。
【００１６】
【課題を解決するための手段】
上述の課題を解決するために、請求項１に係る無線チャンネル設定装置は、無線ＬＡＮシステムのアクセスポイントである無線通信装置と無線通信端末との間で直接拡散スペクトラム方式に従って無線データを送受信する無線ＬＡＮシステムで使用する周波数チャンネルを設定する無線チャンネル設定装置であって、ユーザに操作される操作入力手段と、上記操作入力手段が操作されたことに応じて周波数チャンネルの変更許可を認識して、無線データの全周波数チャンネルについての電波状態に関するパラメータ値を調査する調査手段と、上記調査手段で調査されたパラメータ値に基づいて、周波数チャンネルを選定する判断手段と、上記判断手段で選定された周波数チャンネルで通信をするように上記無線通信装置を制御する設定手段と、上記無線通信装置と上記無線端末装置との無線通信中に、使用している周波数チャンネルの上記パラメータ値を調査し、調査したパラメータ値に基づいて周波数チャンネルを変更するか否かを判定し、周波数チャンネルを変更することを検出した場合にユーザに提示する検出手段とを備え、上記検出手段により周波数チャンネルを変更することを検出してユーザに提示したことで上記操作入力手段が操作されたことに応じて上記調査手段により周波数チャンネルの変更許可を認識する。
【００１８】
請求項２に係る無線チャンネル設定装置では、請求項１に係る無線チャンネル設定装置であって、上記パラメータ値として、上記無線通信装置から上記無線通信端末に送信したパケットに対する返信パケットの有無に応じてパケットロス数又はパケット再送回数を調査することを特徴とする。
【００１９】
請求項３に係る無線チャンネル設定装置では、請求項１に係る無線チャンネル設定装置であって、上記パラメータ値として、上記無線通信端末の受信電界強度を調査することを特徴とする。
【００２０】
請求項４に係る無線チャンネル設定装置では、請求項１に係る無線チャンネル設定装置であって、上記パラメータ値として、上記無線通信端末のノイズレベルを調査することを特徴とする。
【００２１】
請求項５に係る無線チャンネル設定装置では、請求項１に係る無線チャンネル設定装置であって、上記調査手段は、他の周波数チャンネルと周波数帯が重複しない複数の周波数チャンネルから、周波数チャンネルを選定することを特徴とする。
【００２２】
請求項６に係る無線チャンネル設定装置では、請求項１又は請求項５に係る無線チャンネル設定装置であって、上記調査手段は、他の周波数チャンネルと周波数帯が重複しない複数の周波数チャンネルの上記パラメータ値に基づいて選定する候補とする周波数チャンネルを検出し、検出した周波数チャンネルに隣接する周波数チャンネルのパラメータ値に基づいて選定することを特徴とする。
【００２３】
上述の課題を解決するために、請求項７に係る無線チャンネル設定方法では、無線ＬＡＮシステムのアクセスポイントである無線通信装置と無線通信端末との間で直接拡散スペクトラム方式に従って無線データを送受信するときに使用する周波数チャンネルを設定するに際して、ユーザの操作により周波数チャンネルの変更許可を認識し、無線データの全周波数チャンネルについての電波状態に関するパラメータ値を調査し、調査したパラメータ値に基づいて周波数チャンネルを選定し、選定した周波数チャンネルで通信をするように上記無線通信装置の周波数チャンネルを設定し、上記無線通信装置と上記無線端末装置との無線通信中に、使用している周波数チャンネルの上記パラメータ値を調査し、調査したパラメータ値に基づいて周波数チャンネルを変更するか否かを判定し、周波数チャンネルを変更することを検出したことをユーザに提示した後に、ユーザの操作に応じて周波数チャンネルの変更許可を認識する。
【００２５】
上述の課題を解決するために、請求項８に係るプログラムは、コンピュータに読み込ませることにより、少なくとも、無線ＬＡＮシステムのアクセスポイントである無線通信装置と無線通信端末との間で直接拡散スペクトラム方式に従って無線データを送受信するときに使用する周波数チャンネルを設定するに際して、ユーザの操作により周波数チャンネルの変更許可を認識し、無線データの全周波数チャンネルについての電波状態に関するパラメータ値を調査し、調査したパラメータ値に基づいて周波数チャンネルを選定し、選定した周波数チャンネルで通信をするように上記無線通信装置の周波数チャンネルを設定し、上記無線通信装置と上記無線端末装置との無線通信中に、使用している周波数チャンネルの上記パラメータ値を調査し、調査したパラメータ値に基づいて周波数チャンネルを変更するか否かを判定し、周波数チャンネルを変更することを検出したことをユーザに提示した後に、ユーザの操作に応じて周波数チャンネルの変更許可を認識する処理を実行させる。
【００２６】
上述の課題を解決するために、請求項９に係る無線通信装置では、無線ＬＡＮシステムのアクセスポイントである無線通信装置であって、上記アクセスポイントにアクセスする無線通信端末との間で直接拡散スペクトラム方式に従って無線データを送受信する無線通信手段と、ユーザに操作される操作入力手段と、上記操作入力手段が操作されたことに応じて周波数チャンネルの変更許可を認識して、無線データの全周波数チャンネルについての電波状態に関するパラメータ値を調査する調査手段と、上記調査手段で調査されたパラメータ値に基づいて、周波数チャンネルを選定する判断手段と、上記判断手段で選定された周波数チャンネルで無線通信をするように周波数チャンネルを変更するように上記無線通信手段を制御する変更手段と、上記無線端末装置との無線通信中に、使用している周波数チャンネルの上記パラメータ値を調査し、調査したパラメータ値に基づいて周波数チャンネルを変更するか否かを判定し、周波数チャンネルを変更することを検出した場合にユーザに提示する検出手段とを備え、上記検出手段により周波数チャンネルを変更することを検出してユーザに提示したことで上記操作入力手段が操作されたことに応じて上記調査手段により周波数チャンネルの変更許可を認識する。
【００２８】
【発明の実施の形態】
以下、本発明の実施の形態について図面を参照して説明する。
【００２９】
［第１実施形態］
本発明は、例えば図１に示すような第１実施形態に係る照明制御システムに適用される。本例において、照明制御システムは、例えば劇場を照明する照明装置を複数備え、各照明装置の調光をするものについて説明する。
【００３０】
「第１実施形態に係る照明制御システムの構成（図１）」
第１実施形態に係る照明制御システムは、照明制御側として照明制御装置１及び無線チャンネル設定装置２、アクセスポイント３を備えると共に、被制御側としてアクセスポイント３と無線通信をする無線通信端末４、照明装置５を備えて構成されている。この照明制御システムは、アクセスポイント３と無線通信端末４とが無線通信をすることにより、調光制御データを照明装置５に送信すると共に、アクセスポイント３と無線通信端末４との間で周波数チャンネルの設定をする。
【００３１】
この照明制御システムにおいて、アクセスポイント３と無線通信端末４とは共通したＳＳＩＤを保有している。アクセスポイント３及び無線通信端末４は、無線通信時において無線データにＳＳＩＤを格納し、受信した無線データに共通のＳＳＩＤが格納されていることを認識することで、無線データの送受信を可能とする。
【００３２】
また、この照明制御システムにおいて、アクセスポイント３と無線通信端末４とは、周波数帯域として２．４ＧＨｚ帯を使用し、直接拡散スペクトラム方式（ＳＳ−ＤＳ（spread spectrum-direct sequence））に従って無線通信をする。すなわち、アクセスポイント３及び無線通信端末４では、入力した信号に所定周波数の疑似雑音符号を掛けて送信し、無線データを設定された周波数チャンネルの周波数帯域とし、無線データを受信したときには所定周波数の疑似雑音符号を掛けて受信する。アクセスポイント３は、無線チャンネル設定装置２により１つの周波数チャンネルが設定される。無線通信端末４は、アクセスポイント３に設定された周波数チャンネルを検出する。
【００３３】
なお、図１では、単一のアクセスポイント３と単一の無線通信端末４とが通信をする照明制御システムを１つだけ示しているが、単一のアクセスポイント３に対して複数の無線通信端末４が接続されていても良く、他の照明制御システムが同じ劇場を照明するために隣接して設置されていても良い。
【００３４】
照明制御装置１は、ユーザに操作される調光卓１１と、第１プロトコルの信号を第２プロトコルの信号にプロトコル変換をする第１プロトコル変換部１２とを備える。
【００３５】
本例において、第１プロトコルは、照明制御用標準通信方式であるＤＭＸ規格である。このＤＭＸ規格は、ＥＩＡ／ＴＩＡのシリアル伝送規格であり、一又は複数の照明装置４をバスの形態で接続した一本のケーブルに調光制御データを伝送するための規格である。また、第２プロトコルは、汎用のＬＡＮ（Local Area Network）規格であって、例えばイーサネット規格と呼ばれているものである。
【００３６】
以下の説明では、信号線１１及び信号線１２によりＤＭＸ規格に従った調光制御データを伝送し、照明制御送信装置２と照明制御受信装置３との間でＵＤＰ（User Datagram Protocol）／ＩＰ（Internet Protocol）規格及びＬＡＮ規格に従った調光制御データを含む制御パケットが伝送される一例について説明する。
【００３７】
操作卓１１は、例えばスイッチやダイヤル、フェーダ等のユーザが照明装置５を遠隔制御するための操作部を備える。調光卓１１は、操作部が操作されることにより、照明装置５の調光制御内容を示す調光制御データを生成する。具体的には、操作卓１１は、照明装置５の点灯、消灯、明るさ等を制御する調光制御データを生成する。調光卓１１は、生成した調光制御データを第１プロトコル変換部１２に出力するに際して、ＤＭＸ規格に従ったＤＭＸ信号にする。
【００３８】
第１プロトコル変換部１２は、調光卓１１からの調光制御データを受信すると、例えば送信先のアドレス情報等を格納してＬＡＮ規格に従った制御パケットを作成する。この第１プロトコル変換部１２は、作成した制御パケットをアクセスポイント３に出力する。
【００３９】
アクセスポイント３は、第１プロトコル変換部１２からの制御パケットを入力すると、制御パケットを無線データに変換し、図示しない無線アンテナを介して無線データを無線通信端末４に送出する。また、このアクセスポイント３は、無線通信端末４からの無線データを無線アンテナで検出すると、検出した無線データを第１プロトコル変換部１２で処理可能な信号形態にして出力する。このとき、アクセスポイント３は、無線通信端末４と共通して保有するＳＳＩＤを格納して無線データを送信すると共に、無線アンテナで検出した無線データに含まれるＳＳＩＤを参照して無線データを受信する。
【００４０】
また、アクセスポイント３は、無線チャンネル設定装置２により、無線データを送信するときの周波数チャンネルを変更する機能を有する。このアクセスポイント３は、無線チャンネル設定装置２からチャンネル設定コマンドを入力すると、チャンネル設定コマンドで指定された周波数チャンネルで無線データの送受信を行うようにする。
【００４１】
更に、アクセスポイント３は、各周波数チャンネルについて、無線信号の電波干渉により変化するパラメータ値を調査する機能を備える。このアクセスポイント３は、パラメータ値として、例えば、無線通信端末４の受信電界強度（ＲＳＳＩ（Received Signal Strength Indication））、ノイズレベル又はパケットロス数（又はパケットロス率）を調査する。このとき、アクセスポイント３は、使用する周波数チャンネルを指定して、パラメータ値を調査する調査コマンドを無線通信端末４に発行する。アクセスポイント３は、パラメータ値の調査結果を無線チャンネル設定装置２に出力する。
【００４２】
無線チャンネル設定装置２は、アクセスポイント３にチャンネル設定コマンドを出力する無線チャンネル設定部２１、ユーザに操作される操作入力部２２、ユーザに各種情報を提示する情報提示部２３を備える。
【００４３】
操作入力部２２は、例えばユーザに押圧操作されるスイッチ機構からなり、その操作が無線チャンネル設定部２１に検出される。この操作入力部２２は、無線チャンネル設定部２１によりチャンネル設定コマンドを発行する許可がされるときに操作される。すなわち、この操作入力部２２は、照明制御システムにおいて使用する周波数チャンネルを変更許可するときに操作される。
【００４４】
無線チャンネル設定部２１は、アクセスポイント３から調査結果を入力する調査処理部３１、判断処理部３２、設定処理部３３を備える。
【００４５】
調査処理部３１は、操作入力部２２が操作されたことを検出すると、アクセスポイント３に調査コマンドを発行することにより、周波数チャンネルについての調査結果を入力する。このとき、調査処理部３１は、現在使用されている周波数チャンネルとは異なる周波数チャンネルについての調査結果を取得するようにアクセスポイント３に調査コマンドを発行して、複数の周波数チャンネルについての調査結果を取得する。
【００４６】
判断処理部３２は、調査処理部３１により取得した各周波数チャンネルの調査結果を解析し、周波数帯が重複しない所定の周波数チャンネルから、パラメータ値が最も良好な周波数チャンネルを、次に設定する候補チャンネルとして選定する。そして、判断処理部３２は、候補チャンネルと隣接する周波数チャンネルの調査結果を参照することで、隣接する各周波数チャンネルのパラメータ値を確認し、候補チャンネルを新周波数チャンネルに決定するか否かを判定する。
【００４７】
設定処理部３３は、判断処理部３２で新周波数チャンネルを選定すると、現在使用している周波数チャンネルから新周波数チャンネルに変更するチャンネル設定コマンドを発行してアクセスポイント３に出力する。
【００４８】
無線通信端末４は、アクセスポイント３から無線データを図示しない無線アンテナで受信すると、無線データを制御パケットに信号変換して照明装置５に出力する。また、無線通信端末４は、照明装置５から制御パケットを入力すると、無線データに信号変換して無線アンテナから送出させる。この無線通信端末４は、アクセスポイント３と共通したＳＳＩＤを保有し、無線データにＳＳＩＤを格納して送信すると共に、無線アンテナで検出した無線データに含まれるＳＳＩＤを参照して無線データを受信する。
【００４９】
無線通信端末４は、アクセスポイント３と同じ周波数チャンネルを使用することで、アクセスポイント３との間で無線データの送受信をする。無線通信端末４は、初期設定時又は定期的に、周波数チャンネルを順次変更しながら同じＳＳＩＤを有するアクセスポイント３を探索することで、アクセスポイント３で設定された周波数チャンネルを検出し、新しい周波数チャンネルを検出する。
【００５０】
また、この無線通信端末４は、パラメータ値を調査する調査コマンドがアクセスポイント３から送信される。この無線通信端末４は、調査コマンドに従った処理をする。具体的には、パラメータ値がノイズレベルである場合には、受信電波のノイズを測定し、ノイズレベルを含む無線データを作成してアクセスポイント３に送信する。また、パラメータ値がパケットロスである場合には、調査コマンドに応じた返信パケットを作成して送信する。更に、パラメータ値がＲＳＳＩである場合には受信電波のＲＳＳＩを測定し、ＲＳＳＩを含む無線データを作成して送信する。
【００５１】
照明装置５は、第２プロトコルの信号を第１プロトコルの信号にプロトコル変換をする第２プロトコル変換部４１と、照明器具４２とを備える。
【００５２】
第２プロトコル変換部４１は、無線通信端末４からＬＡＮ規格の制御パケットを入力すると、ＤＭＸ規格に従った調光制御データにプロトコル変換をして照明器具４２に出力する。照明器具４２は、ＤＭＸ規格に従って調光制御データに従った動作をする。
【００５３】
このような照明制御システムにおいては、２．４ＧＨｚ帯において図２に示すように各周波数チャンネルの帯域幅が設定され、いずれかの周波数チャンネルを使用してアクセスポイント３と無線通信端末４との間で無線通信をする。アクセスポイント３では、無線チャンネル設定装置２から例えばＲＳＳＩの調査コマンドを入力すると、図３に示すような調査結果を取得する。
【００５４】
図３を参照して説明する一例では、例えば周波数チャンネル「１４」が現在使用されている周波数チャンネルであり、候補チャンネルになりうる所定の周波数チャンネルとして「１」、「６」、「１１」、「１４」が設定されているとする。そして、アクセスポイント３では、図３に示す全周波数チャンネルのＲＳＳＩを調査処理部３１に出力する。
【００５５】
調査処理部３１では、各周波数チャンネルのＲＳＳＩから、候補チャンネルになりうる所定の周波数チャンネルのうち、最もＲＳＳＩが高い周波数チャンネルとして周波数チャンネル「６」を選択して候補チャンネルとする。そして、周波数チャンネル「６」に隣接する前後２つずつの周波数チャンネル「４」、「５」、「７」、「８」についてのＲＳＳＩを参照して、平均値を算出して平均値が所定値「９０」以上であることを確認して周波数チャンネルを新周波数チャンネルに設定する。なお、図３における周波数チャンネル「１」、「１１」は他の無線ＬＡＮで一致又は隣接する周波数チャンネルが使用可能と考えられ、ＲＳＳＩが低くなっている例を示す。
【００５６】
「第１実施形態に係る照明制御システムの動作」
つぎに、上述した第１実施形態に係る照明制御システムの動作手順について図４を参照して説明する。
【００５７】
照明制御システムでは、アクセスポイント３と無線通信端末４とが通信中であって、ユーザがチャンネル変更を許可する操作を操作入力部２２にしたことにより、調査処理部３１によりチャンネル変更可能であると判定して、ステップＳ２に処理を進める。
【００５８】
ステップＳ２において、調査処理部３１により、ある周波数チャンネルについてパラメータ値を取得する調査コマンドをアクセスポイント３に発行する。これにより、アクセスポイント３では、調査コマンドで指定された周波数チャンネルにおけるパラメータ値を取得すると共に保存してステップＳ３に処理を進める。
【００５９】
ステップＳ３において、アクセスポイント３により、ステップＳ２で調査した周波数チャンネルとは異なる周波数チャンネルについてのパラメータ値を調査するように周波数チャンネルを変更する。これに対し、無線通信端末４では、変更された周波数チャンネルを検出して、周波数チャンネルを変更する。
【００６０】
次のステップＳ４において、アクセスポイント３により、全周波数チャンネルについてパラメータ値を取得したか否かを判定し、取得したときには調査結果を調査処理部３１に出力し、調査処理部３１により判断処理部３２に調査結果を出力してステップＳ５に処理を進める。一方、アクセスポイント３では、全周波数チャンネルについてパラメータ値を取得していないときにはステップＳ３で設定した周波数チャンネルのパラメータ値を取得するようにステップＳ２に処理を戻す。
【００６１】
ステップＳ５において、判断処理部３２により、ステップＳ４で取得した調査結果を解析し、周波数帯が重複しない所定の周波数チャンネルから、パラメータ値が最も良好な周波数チャンネルを、次に設定する候補チャンネルとして選択して、ステップＳ６に処理を進める。
【００６２】
ステップＳ６において、判断処理部３２により、ステップＳ５で選択した候補チャンネルと隣接する周波数チャンネルの調査結果に応じて候補チャンネルを新周波数チャンネルに決定して、ステップＳ７に処理を進める。
【００６３】
ステップＳ７において、設定処理部３３により、ステップＳ６で決定された新周波数チャンネルに変更するチャンネル設定コマンドを発行してアクセスポイント３に出力して、ステップＳ８に処理を進める。
【００６４】
ステップＳ８において、アクセスポイント３により、ステップＳ７で入力したチャンネル設定コマンドに従って周波数チャンネルを変更して動作開始する。これにより、無線通信端末４では、周波数チャンネルを順次変更することでアクセスポイント３の周波数チャンネルを検出して、自身の周波数チャンネルを変更する。
【００６５】
つぎに、図４に示した照明制御システムの動作において、各周波数チャンネルのパラメータ値をノイズレベルとしたときの処理手順について図５を参照して説明する。
【００６６】
各周波数チャンネルのパラメータ値をノイズレベルとしたときには、ステップＳ１の次に、上述のステップＳ２〜ステップＳ４に相当する処理をアクセスポイント３により行うことにより、全周波数チャンネルについてのノイズレベルを取得して調査結果を調査処理部３１により取得して保存する（ステップＳ１１）。
【００６７】
このとき、調査処理部３１では、調査コマンドとしてノイズレベルを調査する旨を指定してアクセスポイント３に出力する。これに応じ、アクセスポイント３により、無線通信端末４にノイズレベルを調査する調査コマンドを発行し、無線通信端末４により、受信電波のノイズレベルを測定してアクセスポイント３に返信する。
【００６８】
次のステップＳ１２において、判断処理部３２により、上述のステップＳ５に対応する処理をする。すなわち、判断処理部３２により、ステップＳ１１で取得したノイズレベルについての調査結果から、周波数帯が重複しない予め設定した候補チャンネルとなりうる周波数チャンネル（例えば１，６，１１，１４ｃｈ）のノイズレベルのうち、最もノイズレベルが低い周波数チャンネルを選択して候補チャンネルにする。
【００６９】
次のステップＳ１３〜ステップＳ１５において、上述のステップＳ６に対応する処理をする。すなわち、ステップＳ１３において、判断処理部３２により、ステップＳ１２で選択した候補チャンネルに隣接する２チャンネル以内のノイズレベルが所定しきい値以下（例えば４０以下）の周波数チャンネルが存在するか否かを判定する（ステップＳ１３）。なお、本例では、選択した候補チャンネルに前後して隣接する２つのチャンネルのノイズレベルを調査する場合について説明するが、これに限るものではない。
【００７０】
存在すると判定したときには、ステップＳ６に対応する処理をすることにより、ステップＳ１２で選択した候補チャンネルを新周波数チャンネルに選定してステップＳ７に処理を進める。
【００７１】
一方、存在しないと判定したときには、ステップＳ１４に処理を進め、ステップＳ１２で選択した周波数チャンネルとは異なる周波数チャンネルのうち、次にノイズレベルが低い周波数チャンネルを候補チャンネルとして選択してステップＳ１３に処理を戻す。
【００７２】
つぎに、図４に示した照明制御システムの動作において、各周波数チャンネルのパラメータ値をＲＳＳＩとしたときの処理手順について図６を参照して説明する。なお、図６に示す一例では、アクセスポイント３に複数の無線通信端末４が接続されている場合について説明する。
【００７３】
各周波数チャンネルのパラメータ値をＲＳＳＩとしたときには、ステップＳ１の次に、上述のステップＳ２〜ステップＳ４に相当する処理をアクセスポイント３により行うことにより、全周波数チャンネルについてのＲＳＳＩを取得して調査結果を調査処理部３１により取得して保存する（ステップＳ２１）。
【００７４】
このとき、調査処理部３１では、調査コマンドとしてＲＳＳＩを調査する旨を指定してアクセスポイント３に出力する。これに応じ、アクセスポイント３により、各無線通信端末４にＲＳＳＩを調査する調査コマンドを発行し、各無線通信端末４により、受信電波のＲＳＳＩを測定してアクセスポイント３に返信する。これにより、アクセスポイント３では、接続されている全無線通信端末４についてのＲＳＳＩを取得する。
【００７５】
次のステップＳ２２において、判断処理部３２により、上述のステップＳ５に対応する処理をする。すなわち、判断処理部３２により、ステップＳ２１で取得した全無線通信端末４のＲＳＳＩの調査結果から、各周波数チャンネルごとにＲＳＳＩの最大値、最小値、及び平均値を算出する。そして、判断処理部３２により、予め設定した候補チャンネルとなりうる周波数チャンネル（例えば１，６，１１，１４ｃｈ）のＲＳＳＩのうち、最もＲＳＳＩの平均値が高い周波数チャンネルを選択して候補チャンネルにする。すなわち、全無線通信端末４に対してＲＳＳＩが高い周波数チャンネルを候補チャンネルにする。
【００７６】
次のステップＳ２３〜ステップＳ２５において、上述のステップＳ６に対応する処理をする。すなわち、ステップＳ２３において、判断処理部３２により、ステップＳ２２で選択した候補チャンネルに前後して隣接する２チャンネルについてのＲＳＳＩの平均値が全て所定しきい値以上（例えば９０）か否かを判定する（ステップＳ２３）。ここで、候補チャンネルとして周波数チャンネル「６」を選択したときには、周波数チャンネル「４」、「５」及び「７」、「８」を隣接チャンネルとする。なお、本例では、選択した候補チャンネルに前後して隣接する２つのチャンネルのノイズレベルを調査する場合について説明するが、これに限るものではない。
【００７７】
隣接チャンネルのＲＳＳＩの平均値が全て所定しきい値以上であると判定したときには、ステップＳ６に対応する処理をすることにより、ステップＳ２２で選択した候補チャンネルを新周波数チャンネルに決定してステップＳ７に処理を進める。
【００７８】
一方、隣接チャンネルのＲＳＳＩの平均値が全て所定しきい値以上でないと判定したときには、ステップＳ２４に処理を進め、ステップＳ２２で選択した周波数チャンネルとは異なる周波数チャンネルのうち、次にＲＳＳＩの平均値が高い周波数チャンネルを候補チャンネルとして選択してステップＳ２３に処理を戻す。
【００７９】
つぎに、図４に示した照明制御システムの動作において、各周波数チャンネルのパラメータ値をパケットロス数（又はパケットロス率）としたときの処理手順について図７を参照して説明する。なお、図４に示す一例では、アクセスポイント３に複数の無線通信端末４が接続されている場合について説明する。
【００８０】
各周波数チャンネルのパラメータ値をパケットロス数としたときには、ステップＳ１の次に、上述のステップＳ２〜ステップＳ４に相当する処理をアクセスポイント３により行うことにより、全無線通信端末４の全周波数チャンネルについてのパケットロス数を取得して調査結果を調査処理部３１により取得して保存する（ステップＳ３１）。
【００８１】
このとき、調査処理部３１では、調査コマンドとしてパケットロス数を調査する旨を指定してアクセスポイント３に出力する。これに応じ、アクセスポイント３により、全無線通信端末４に返信を要求するパケットを調査コマンドとして無線通信端末４に送信し、送信したパケットに対する全無線通信端末４からの返信パケットの有無をアクセスポイント３が検出する。このとき、アクセスポイント３では、所定数のパケットを各無線通信端末４に送信して所定期間内に返信が無い数を計数してパケットロス数を取得する。このような処理を、全無線通信端末４について各周波数チャンネルごとに行うことにより、全周波数チャンネルについてのパケットロス数の調査結果を取得する。
【００８２】
次のステップＳ３２において、判断処理部３２により、上述のステップＳ５に対応する処理をする。すなわち、判断処理部３２により、ステップＳ３１で取得したパケットロス数についての調査結果から、予め設定した候補チャンネルとなりうる周波数チャンネル（１，６，１１，１４ｃｈ）のパケットロス数のうち、最もパケットロス数が少ない周波数チャンネルを選択して候補チャンネルにする。
【００８３】
次のステップＳ３３〜ステップＳ３５において、上述のステップＳ６に対応する処理をする。すなわち、ステップＳ３３において、判断処理部３２により、ステップＳ３２で選択した候補チャンネルに隣接する２チャンネル以内のパケットロス数が所定しきい値以下（例えば４０）の周波数チャンネルが存在するか否かを判定する。なお、本例では、選択した候補チャンネルに前後して隣接する２つのチャンネルのパケットロス数を調査する場合について説明するが、これに限るものではない。
【００８４】
また、このステップＳ３３においては、このような処理に限らず、候補チャンネルとした周波数チャンネルのパケットロス数に対し、候補チャンネルに隣接する前後２つのチャンネルのパケットロス数が２倍であるか否かを判定しても良い。
【００８５】
所定しきい値以下のパケットロス数の周波数チャンネルが存在すると判定したときには、ステップＳ６に対応する処理をすることにより、ステップＳ３２で選択した候補チャンネルを新周波数チャンネルに選定してステップＳ７に処理を進める。
【００８６】
一方、所定しきい値以下のパケットロス数の周波数チャンネルが存在しないと判定したときには、ステップＳ３４に処理を進め、ステップＳ３２で選択した周波数チャンネルとは異なる周波数チャンネルのうち、次にパケットロス数が少ない周波数チャンネルを候補チャンネルとして選択してステップＳ３３に処理を戻す。
【００８７】
「第１実施形態の効果」
以上、詳細に説明したように、第１実施形態に係る照明制御システムによれば、ユーザが周波数チャンネルの変更を許可したときに、各周波数チャンネルについてのパラメータ値を取得して新たな周波数チャンネルを設定することができ、調光制御データを伝送している最中に周波数チャンネルを変更することが無い。すなわち、この照明制御システムによれば、例えば公演中にユーザが照明器具４２の動作状態を確認し、周波数チャンネルを変更する必要があると判定した後に、操作入力部２２により周波数チャンネルの変更を行うことができ、調光制御データの通信に影響を与え、ユーザに不都合を与えることがなく、周波数チャンネルを簡単に最適な周波数チャンネルに設定変更すると共に、照明制御中に周波数チャンネルが変更するのを回避することができる。
【００８８】
また、この照明制御システムによれば、周波数帯が重複しないように候補チャンネルとなりうる周波数チャンネルを予め設定し、この周波数チャンネルのうち最適な周波数チャンネルに変更するようにしたので、全周波数チャンネルについて候補チャンネルを求める処理を行う必要が無く、新たな周波数チャンネルを設定するときの処理を軽減することができる。
【００８９】
更に、この照明制御システムによれば、候補チャンネルとなりうる周波数チャンネルに隣接する周波数チャンネルのパラメータを参照して新周波数チャンネルを決定するので、候補チャンネルに隣接する周波数チャンネルのパラメータ値が優良範囲であることを確認した上で新周波数チャンネルを設定することができる。すなわち、この照明制御システムによれば、選択した候補チャンネルに干渉する周波数チャンネルのパラメータ値が良好でない場合に発生する電波干渉を回避することができる。
【００９０】
［第２実施形態］
本発明は、例えば図８に示すような第１実施形態に係る照明制御システムに適用される。本例において、照明制御システムは、例えば劇場を照明する照明装置を複数備え、各照明装置の調光をするものについて説明する。なお、以下の説明では、第１実施形態と同じ部分については同一符号を付することによりその詳細な説明を省略する。
【００９１】
「第２実施形態に係る照明制御システムの構成」
第２実施形態に係る照明制御システムは、図８に示すように、無線チャンネル設定部２１に検出処理部５１を設けた点で、第１実施形態に係る照明制御システムとは異なる。
【００９２】
検出処理部５１は、例えば所定時間毎に、アクセスポイント３で現在使用している周波数チャンネルのパラメータ値を取得して、現在使用している周波数チャンネルを変更する必要があるか否かを検出する検出処理をする。このとき、検出処理部５１は、所定期間毎にアクセスポイント３に調査コマンドを発行する。
【００９３】
なお、第２実施形態において、検出処理部５１による処理を「検出処理」、上述の調査処理部３１による処理を「本調査処理」、上述の判断処理部３２による処理を「本判断処理」と呼ぶ。
【００９４】
この検出処理部５１は、アクセスポイント３で現在使用している周波数チャンネルのパラメータ値を調査する調査コマンドをアクセスポイント３に出力する。これに応じて、検出処理部５１は、アクセスポイント３から現在使用している周波数チャンネルのパラメータ値を取得して保存する。そして、検出処理部５１は、保存したパラメータ値に基づいて、現在使用している周波数チャンネルから新周波数チャンネルに変更するか否かを判定する。検出処理部５１は、変更すると判定したときには情報提示部２３により、その旨をユーザに通知させ、ユーザに周波数チャンネルの変更を促す。
【００９５】
このような検出処理部５１を備えた照明制御システムでは、アクセスポイント３により現在使用している周波数チャンネルから新周波数チャンネルに変更する旨を通知した後に、操作入力部２２が操作されることにより、調査処理部３１、判断処理部３２に及び設定処理部３３により上述の処理を開始する。
【００９６】
「第２実施形態に係る照明制御システムの動作」
つぎに、上述した第１実施形態に係る照明制御システムの動作手順について図９を参照して説明する。
【００９７】
検出処理部５１は、例えば前の検出処理又は周波数チャンネルの変更から所定期間が経過したときにステップＳ４１の処理を開始し、アクセスポイント３が現在使用している周波数チャンネルについてのパラメータ値をチェックするために、調査コマンドをアクセスポイント３に出力して、ステップＳ４２に処理を進める。
【００９８】
ステップＳ４２において、検出処理部５１は、ステップＳ４１で出力した調査コマンドに応じたパラメータ値を調査結果として入力して保存すると、ステップＳ４３に処理を進める。
【００９９】
ステップＳ４３において、ステップＳ４２にて保存した調査結果を調査処理部３１に通知し、調査処理部３１によりパラメータ値と所定のしきいとを比較して周波数チャンネルを変更する必要があるか否かの調査結果を検出処理部５１により受け取る。検出処理部５１は、調査結果により周波数チャンネルを変更する必要があるときにはステップＳ４４に処理を進めて情報提示部２３によりその旨を提示し、周波数チャンネルを変更する必要がないときには処理を終了する。
【０１００】
ステップＳ４４にて現在の周波数チャンネルから変更する必要があることを提示した後に、操作入力部２２がユーザに操作されると、調査処理部３１によりステップＳ２以降の本調査処理を開始する。ステップＳ２〜ステップＳ８の処理をすることにより、ステップＳ４１の時点で使用していた周波数チャンネルから新周波数チャンネルに変更する。
【０１０１】
図１０〜図１２に、検出処理の処理手順のフローチャートを示す。
【０１０２】
周波数チャンネルのパラメータ値をＲＳＳＩとしたとき、先ず、ステップＳ４１に対応するステップＳ５１において、検出処理部５１からアクセスポイント３に現在使用している周波数チャンネルのＲＳＳＩを調査する調査コマンドを発行する。これに応じ、アクセスポイント３により無線通信端末４のＲＳＳＩを取得して検出処理部５１に出力する。このステップＳ５１では、検出処理部５１により繰り返し、又は複数回に亘ってＲＳＳＩを調査するようにアクセスポイント３を制御しても良い。
【０１０３】
検出処理部５１により調査結果を取得すると、調査結果を調査処理部３１に通知し（ステップＳ５２）、調査処理部３１からの調査結果を検出処理部５１により取得して分析することにより、ＲＳＳＩが所定のしきい値以下の無線通信端末４が存在するか否かを判定し（ステップＳ５３）、存在する場合には周波数チャンネルを変更する必要があると判定して情報提示部２３によりその旨を通知する（ステップＳ４４）。
【０１０４】
周波数チャンネルのパラメータ値をパケットロス数（パケットロス率）としたとき、先ず、ステップＳ４１に対応するステップＳ６１において、検出処理部５１からアクセスポイント３に現在使用している周波数チャンネルのパケットロス数を調査する調査コマンドを発行する。これに応じ、アクセスポイント３により無線通信端末４に返信を要求するパケットを送信し、パケットロス数を検出して検出処理部５１に出力する。
【０１０５】
検出処理部５１により調査結果を取得すると、調査結果を調査処理部３１に通知し（ステップＳ６２）、調査処理部３１からの調査結果を検出処理部５１により取得して分析することにより、パケットロス数が所定のしきい値を超えているか否かを判定し（ステップＳ６３）、超えている場合には周波数チャンネルを変更する必要があると判定して情報提示部２３によりその旨を通知する（ステップＳ４４）。このとき、情報提示部２３では、ＬＥＤ等を点滅させるなどの動作をする。
【０１０６】
周波数チャンネルのパラメータ値をノイズレベルとしたとき、先ず、ステップＳ４１に対応するステップＳ７１において、検出処理部５１からアクセスポイント３に現在使用している周波数チャンネルのノイズレベルを調査する調査コマンドを発行する。これに応じ、アクセスポイント３から全無線通信端末４にノイズレベルを測定する調査コマンドを発行し、無線通信端末４のノイズレベルを取得して検出処理部５１に出力する。
【０１０７】
検出処理部５１により調査結果を取得すると、調査結果を調査処理部３１に通知し（ステップＳ７２）、調査処理部３１からの調査結果を検出処理部５１により取得して分析することにより、ノイズレベルが所定のしきい値を超えているか否かを判定し（ステップＳ７３）、超えている場合には周波数チャンネルを変更する必要があると判定して情報提示部２３によりその旨を通知する（ステップＳ４４）。
【０１０８】
このように、図１０乃至図１２を行い、操作入力部２２が操作されることにより、本調査処理として調査処理部３１によりステップＳ２〜ステップＳ４を行い、本判断処理として判断処理部３２によりステップＳ５、ステップＳ６を行い、設定処理部３３によりステップＳ７の処理を行ことで、ステップＳ８において新周波数チャンネルを設定して動作する。
【０１０９】
「第２実施形態の効果」
以上、詳細に説明したように、第２実施形態に係る照明制御システムによれば、検出処理部５１により検査処理を行った結果をユーザに通知することで、電波状態が良くないことを通知し、周波数チャンネルの変更をする操作がされた後に本調査処理、本判断処理をして新たな周波数チャンネルを設定することができる。
【０１１０】
したがって、この照明制御システムによれば、アクセスポイント３の周波数チャンネルを変更する処理にある程度の時間を要するために、調光制御データの通信がとぎれる場合があるが、自動的に電波状態を検出して通知し、ユーザにより通信がとぎれても良いと判定したときに本調査処理、本判断処理をして新周波数チャンネルに変更することができる。したがって、この照明制御システムによれば、周波数チャンネルの変更を通知してユーザの許可を得た場合にのみ周波数チャンネルの変更を開始するので、周波数チャンネルを簡単に最適な周波数チャンネルに設定変更すると共に、通信中に周波数チャンネルが変更するのを回避することができ、更にユーザの利便性を高めることができる。
【０１１１】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【０１１２】
すなわち、上述した実施の形態では、照明制御装置１とは別に設けた無線チャンネル設定装置２により周波数チャンネルを変更する判定をする場合について説明したが、アクセスポイント３又は第１プロトコル変換部１２内に無線チャンネル設定装置２の機能を持たせ、照明制御装置１を操作するユーザの操作に応じて周波数チャンネルを変更しても良い。
【０１１３】
また、上述した一例では、周波数チャンネルのパラメータ値を電波干渉が発生したことに応じて変化するＲＳＳＩ、パケットロス、ノイズレベルとしたが、電波干渉に比例して変化する他のパラメータであれば他のパラメータであっても本発明を適用することができる。
【０１１４】
更に、上述した無線チャンネル設定装置２の機能を、コンピュータ読み取り可能なプログラムをコンピュータに実行させることで、上述した処理を行わせることにより、上述した第１実施形態及び第２実施形態での効果を発揮させることができる。
【０１１５】
【発明の効果】
請求項１に係る無線チャンネル設定装置によれば、ユーザに操作入力手段が操作されると、周波数チャンネルの変更許可を認識して、全周波数チャンネルについてのパラメータ値を調査して、新たな周波数チャンネルを選定するので、ユーザが周波数チャンネルを変更する必要があると判定し、ユーザが周波数チャンネルの変更を許可した後に、周波数チャンネルの変更を行うことができる。したがって、この無線チャンネル設定装置によれば、無線チャンネルの変更が通信に影響を与えて、ユーザに不都合を与えることがなく、周波数チャンネルを簡単に最適な周波数チャンネルに設定変更すると共に、制御中に周波数チャンネルが変更するのを回避することができる。また、請求項１に係る無線チャンネル設定装置によれば、無線通信中に、検出手段により、周波数チャンネルを変更することを検出した場合にユーザに提示した後に、ユーザの操作に応じて調査手段により周波数チャンネルの変更許可を認識するので、例えば電波状態が良くないことを通知して、新周波数チャンネルに変更することができる。
【０１１７】
請求項２乃至請求項４に係る無線チャンネル設定装置によれば、パラメータ値として、パケットロス数又はパケット再送回数、無線通信端末の受信電界強度、無線通信端末のノイズレベルを調査するので、無線通信装置と無線端末装置との電波干渉に応じて変化するパラメータを用いて周波数チャンネルを変更することができる。
【０１１８】
請求項５に係る無線チャンネル設定装置によれば、調査手段により他の周波数チャンネルと周波数帯が重複しない複数の周波数チャンネルから、周波数チャンネルを選定するので、全周波数チャンネルから選定する処理を行う必要が無く、新たな周波数チャンネルを設定するときの処理を軽減することができる。
【０１１９】
請求項６に係る無線チャンネル設定装置によれば、周波数チャンネルに隣接する周波数チャンネルのパラメータ値に基づいて選定するので、候補となる周波数チャンネルに隣接する周波数チャンネルのパラメータ値が優良範囲であることを確認した上で新周波数チャンネルを設定することができる。
【０１２０】
請求項７に係る無線チャンネル設定方法によれば、ユーザの操作により周波数チャンネルの変更許可を認識した後に、全周波数チャンネルについてのパラメータ値を調査し、調査したパラメータ値に基づいて周波数チャンネルを選定するので、ユーザが周波数チャンネルを変更する必要があると判定し、ユーザが周波数チャンネルの変更を許可した後に、周波数チャンネルの変更を行うことができる。また、請求項７に係る無線チャンネル設定方法によれば、周波数チャンネルを変更することを検出したことをユーザに提示した後に、ユーザの操作に応じて周波数チャンネルの変更許可を認識するので、例えば電波状態が良くないことを通知して、新周波数チャンネルに変更することができる。
【０１２２】
請求項８に係るプログラムによれば、コンピュータに読み込ませることにより、少なくとも、を実行させて、請求項７に係る効果と同様の効果を発揮させることができる。
【０１２３】
請求項９に係る無線通信装置によれば、操作入力手段が操作されたことに応じて周波数チャンネルの変更許可を認識して、全周波数チャンネルのパラメータ値を調査し、周波数チャンネルを選定して無線通信手段を制御するので、ユーザが周波数チャンネルを変更する必要があると判定し、ユーザが周波数チャンネルの変更を許可した後に、周波数チャンネルの変更を行うことができる。また、請求項９に係る無線通信装置によれば、周波数チャンネルを変更することを検出した場合にユーザに提示した後に、操作入力手段が操作されたことに応じて調査手段により周波数チャンネルの変更許可を認識するので、例えば電波状態が良くないことを通知して、新周波数チャンネルに変更することができる。
【図面の簡単な説明】
【図１】本発明の第１実施形態に係る照明制御システムの構成を示すブロック図である。
【図２】２．４ＧＨｚ帯に設定されている各周波数チャンネルの帯域幅を示す図である。
【図３】各周波数チャンネルにおけるＲＳＳＩの値の一例を示す図である。
【図４】本発明の第１実施形態に係る照明制御システムにおいて、新たな周波数チャンネルを設定するときの処理手順を示すフローチャートである。
【図５】パラメータ値をノイズレベルとしたときの調査処理部の処理手順を示すフローチャートである。
【図６】パラメータ値をＲＳＳＩとしたときの調査処理部の処理手順を示すフローチャートである。
【図７】パラメータ値をパケットロスとしたときの調査処理部の処理手順を示すフローチャートである。
【図８】本発明の第２実施形態に係る照明制御システムの構成を示すブロック図である。
【図９】本発明の第２実施形態に係る照明制御システムにおいて、新たな周波数チャンネルを設定するときの処理手順を示すフローチャートである。
【図１０】パラメータ値をＲＳＳＩとしたときの検出処理部による検出処理の手順を示すフローチャートである。
【図１１】パラメータ値をパケットロスとしたときの検出処理部による検出処理の手順を示すフローチャートである。
【図１２】パラメータ値をノイズレベルとしたときの検出処理部による検出処理の手順を示すフローチャートである。
【図１３】従来のインフラストラクチャネットワークについて説明するためのブロック図である。
【図１４】従来の照明制御システムの構成を示すブロック図である。
【図１５】従来の照明制御システムにおいて、一部を無線化した構成を示すブロック図である。
【符号の説明】
１  照明制御装置
２  無線チャンネル設定装置
３  アクセスポイント
４  無線通信端末
５  照明装置
１１  調光卓
１２  第１プロトコル変換部
２１  無線チャンネル設定部
２２  操作入力部
２３  情報提示部
３１  調査処理部
３２  判断処理部
３３  設定処理部
４１  第２プロトコル変換部
４２  照明器具
５１  検出処理部
【図１】
0003896824.tif 000002
【図２】
0003896824.tif 000003
【図３】
0003896824.tif 000004
【図４】
0003896824.tif 000005
【図５】
0003896824.tif 000006
【図６】
0003896824.tif 000007
【図７】
0003896824.tif 000008
【図８】
0003896824.tif 000009
【図９】
0003896824.tif 000010
【図１０】
0003896824.tif 000011
【図１１】
0003896824.tif 000012
【図１２】
0003896824.tif 000013
【図１３】
0003896824.tif 000014
【図１４】
0003896824.tif 000015
【図１５】
0003896824.tif 000016